(57)【要約】【課題】空気清浄機を提供する。【解決手段】本考案は空気清浄機であり、筐体ケース本体、超音波アトマイザー、ファン,イオン生成器、と制御パネルによって構成される。ケース本体は四つ又は複数の平面で開放状態を呈し、ケース本体の下層の各平面には、一つ以上のエアー導入口が設けられ、各エアー導入口にはフィルター層がある。ケース本体の上層の各平面には、一つ以上のエアー排出口が設けられ、各エアー排出口には導風板が設置されている。ケース本体の上層、下層間は下から上へ、超音波アトマイザー、ファン、及びイオン生成器が備え付けられている。ケース本体の外側には制御パネルがあり、もれなく有効的に室内の空気を浄化し、使用者の健康を守れる。【選択図】図１
0003126645.tif 000002
【実用新案登録請求の範囲】
【請求項１】
ケース本体、超音波アトマイザー、ファン、イオン生成器と制御パネルによって構成されることを特徴とする空気清浄機。
【請求項２】
請求項１記載の空気清浄機において、当該ケース本体は四面や複数の平面で開放状態を呈し、ケース本体の下層における各平面には一つ以上のエアー導入口があり、それぞれのエアー導入口にフィルター層が設けられ、ケース本体の上層における各平面には一つ以上のエアー排出口があり、それぞれのエアー排出口には導風板が備え付けられていることを特徴とする空気清浄機。
【請求項３】
請求項１記載の空気清浄機において、当該ケース本体の上層、下層は下から上へ超音波アトマイザー、ファン及びイオン生成器が設けられており、ケース本体外には制御パネルが設けられることを特徴とする空気清浄機。
【考案の詳細な説明】
【技術分野】
【０００１】
本考案は空気清浄機であり、特に、もれなく有効的に室内の空気を浄化することができ、超音波アトマイザーや代替物及びファンを利用して急速に回ることにより、心身に有益のいろんな水溶液を極めて小さい水分子になるように霧状にし、速やかに室内に広げるか、本考案の空気清浄機ケース本体外の特定方向に広げることにより、室内空気を浄化して使用者の健康と美容のための空気清浄機を指している。
【背景技術】
【０００２】
従来の空気清浄機は空気の浄化機能があるが、多くは単に空気清浄機の本体に対する特定方向の空気を濾過することしかできず、十分に空気清浄機としての設備効能を発揮していない。それらの空気清浄機によって浄化された空気は、大体その機体の片側の範囲しかカバーできず、たとえイオンを生成しても、エアーの排出口からすぐのところで消えてしまうという欠点がある。
【考案の開示】
【考案が解決しようとする課題】
【０００３】
本考案が提供する空気清浄機は、ケース本体、超音波アトマイザー、ファン、イオン生成器と制御パネルによって構成されている。ケース本体は四つ、又は複数の平面で開放状態を呈し、ケース本体の下層の各平面には、一つ以上のエアー導入口が設けられ、各エアー導入口のところにフィルター層を有している。ケース本体の上層の各平面には、一つ以上のエアー排出口があり、各エアー排出口には導風板が設けられている。ケース内の上層、下層間は下から上へ、超音波アトマイザー、ファンとイオン生成器が、ケース外には制御パネルが備え付けられているため、全方向に室内の空気を有効的に浄化できる。更に、超音波アトマイザーやその代替物を利用し、心身に有益な各種の水溶液(通常にはエッセンスオイルと水)を振動して小さい水分子になるように霧状にする。そして、ファンの急速回転で小さい水分子に切って霧状の分子を送り出したり、本考案の空気清浄機の本体外部の特定方向に送ったりすることにより、使用者の健康維持と美容効果を与える。各種の水溶液の霧化過程において放出された極めて小さい水分子及び大量のイオンは、空気内で浮遊している有害の黴菌とウイルスを消滅することができ、空気を浄化することによって病気の発生を抑止する。極めて小さい水分子及びイオンは空気内で漂う煙、埃と一緒になってから、フィルター層の静電処理によって沈殿されてろ過されるので、空気内のホルムアルデヒド、一酸化炭素、黴菌などの有害物質とにおいを有効に除去することができる。また、極めて小さい水分子とイオンの結合したものを放出し、大量の風で吹き運ばれるので、従来の空気清浄機が遠く届かない、そして効果が持続しない欠点を大幅に改善した。
【０００４】
本考案の主な目的は、全方向に室内の空位を浄化し、使用者の健康や美容維持に役立つ空気清浄機を提供することにある。
【０００５】
本考案のもう一つの目的は、心身に有益な各種の水溶液(通常はエッセンスオイルと水)を小さい水分子になるように霧状にし、イオン生成器が生成したイオンと合体することにより、イオンを持つ霧状の分子を形成させ、大幅に空気の浄化効果を上げる空気清浄機を提供することにある。
【課題を解決するための手段】
【０００６】
請求項１の考案は、ケース本体、超音波アトマイザー、ファン、イオン生成器と制御パネルによって構成されることを特徴とする空気清浄機としている。
請求項２の考案は、請求項１記載の空気清浄機において、当該ケース本体は四面や複数の平面で開放状態を呈し、ケース本体の下層における各平面には一つ以上のエアー導入口があり、それぞれのエアー導入口にフィルター層が設けられ、ケース本体の上層における各平面には一つ以上のエアー排出口があり、それぞれのエアー排出口には導風板が備え付けられていることを特徴とする空気清浄機としている。
請求項３の考案は、請求項１記載の空気清浄機において、当該ケース本体の上層、下層は下から上へ超音波アトマイザー、ファン及びイオン生成器が設けられており、ケース本体外には制御パネルが設けられることを特徴とする空気清浄機としている。
【考案の効果】
【０００７】
本考案は全方向に室内の空位を浄化し、使用者の健康や美容維持に役立つ空気清浄機を提供する。心身に有益な各種の水溶液(通常はエッセンスオイルと水)を小さい水分子になるように霧状にし、イオン生成器が生成したイオンと合体することにより、イオンを持つ霧状の分子を形成させ、大幅に空気の浄化効果を上げる空気清浄機を提供する。
【考案を実施するための最良の形態】
【０００８】
第１、２図に示すように、本考案の実施例である空気清浄機1は、ケース本体2、超音波アトマイザー3、ファン4、イオン生成器5と、制御パネル6によって構成されている。ケース本体2はフレーム21と天板22を含んでいる。ケース本体2のフレーム21の下層の四面には、同じ形のエアー導入口211が設けられている。四つのエアー導入口211内には、それぞれに同じ形状構造のフィルター層23が一セットが設置され、ケース本体2のフレーム21の上層の四面は、それぞれに形の同じエアー排出口212が二つ設けられている。この八つのエアー排出口212内には、形状構造が同じの導風板24が備え付けられている。ケース本体2の上層、下層間は下から上へ、超音波アトマイザー3、ファン4とイオン生成器5が設けられている。ケース本体2の外側は制御パネル6がある。ファン4で、ケース本体2のフレーム21の下層にあるこの四つのエアー導入口211内のフィルター層23の外側の空気を吸い込む。フィルター層23で空気内のほこり、黴菌、ウイルスなどをろ過して除去する。同時に、超音波アトマイザー3を利用して心身に有益な水溶液(通常はエッセンスオイルと水)を小さい水分子になるように霧状にする。そして振動して小さい霧状の分子にする。それから、ファン4で霧状の分子を小さい分子に急速に切り、イオン生成器5が生成したイオンと結合してから負電荷を持つ霧状粒子を形成し、ケース本体2のフレーム21の上層の四面に設けられたエアーの排出口212の導風板24により送り出したり、本考案の空気清浄機1のケース本体2以外の特定方向に送ったりする。これで、使用者の健康を維持する。各種の水溶液の霧化過程において放出された大量のイオンと極めて小さい水分子は、空気内で浮遊している有害の黴菌やウイルスを有効に消滅することができ、空気を浄化させ、病気の発生を抑止する。また、エッセンスオイルを使ってアロマセラピーに利用し、健康維持と美容効果を実現できる。当該イオンは空気中に浮遊する煙、ほこりと結合してから本考案の実施例の空気清浄機1によって吸い込まれ、ケース2のフレーム21の下層の四面に設けられたエアー導入口211内にあるフィルター層23の静電処理により、沈殿してろ過すれば、空気内のホルムアルデヒド、一酸化炭素、黴菌などの有害物質とにおいを有効に除去することができる。
【０００９】
本考案の実施例にある空気清浄機１は、超音波アトマイザー3を利用して一秒当たりに1600000回の振動により、心身に有益の各種の水溶液(通常はエッセンスオイルと水)を小さい水分子になるように霧状にする。そしてイオン生成器5から十分の酸素とイオンを放出し、水に溶けるエッセンスオイルを室温状態において、100%に空気の中で霧化する。そして、イオン生成器5のイオンと結合して以下の優れるメリットを発揮できる。
１．新鮮な(活性酸素)を提供し、空気の品質を改善し、脳細胞を活性化させ、脳へエネルギーを補充する。
２．イオンで空気を浄化し、十分の空気ビタミンで心肺機能を向上させ、呼吸器官の負担を軽減する。そして受動喫煙、ダニ、アレルギー源の防止もできる。
３．保湿美容、角質を和らげ、潤いと光沢を与え、肌の新陳代謝を促進する。肌の排毒に役立ち、最適の保湿商品である。
４．エッセンスオイルの微分子を100%霧化し、鼻や肺を経由して体に吸収されれば、自然に薬理効果が働き、内分泌システムと免疫システムを調節しながら、治療とアロマの味わいができる。
５．神経を和らげたり、安らげたりすることができる。違う種類のエッセンスオイルをりようして心理健康を管理し、失眠を防ぎ、睡眠品質を改善する。
６．超音波が一秒当たり160万回の振動で酸素スパを製造し、水療法スパのアロマセラピーの効果を高める。
【００１０】
本考案の実施例における空気清浄機1のケース本体2と超音波アトマイザー3が一緒になり、超音波アトマイザー3の振動を利用することにより、心身有益な水溶液(通常はエッセンスオイルと水)を1〜3umの水分子に霧化してから、ファン4を介して水分子を切って微小な水分子にする。そしてエアー排出口212で、イオン生成器5のコロナー放電によって生成されるイオンと合体し、迅速で均衡に室内を広げる。前述の過程によって従来の空気清浄機より良い効果が得られる。
１．従来より細かい負電気を帯電する超微小の水分子が得られるので、空気浄化処理の効果が大幅に上がる。
２．本考案の実施例における空気清浄機1のファン4の急速回転により、強力で速やかに広げられるので、超微小の水分子は均衡に室内の至るところまで伝送できる。従来の空気清浄機によって処理される空気が、機体の側面とエアー排出口からちょっと離れるところまでしか届かない欠点は解消される。
３．微小の水分子とイオンが結合することにより、イオンは空気清浄効果をより長く維持できる。水分子とイオンの強い結合力で、よりよい空気清浄効果が大きく得られる。
４．アロマセラピーの導入により、本考案の実施例における空気清浄機1は従来の空気清浄機の効能を持つ他に、本考案の実施例における空気清浄機１を介して体に良い森林浴を提供し、心理、肌などに対して美容と健康維持のための効果をも提供できる。
５．医師、専門家の診断に合わせて各種の処方の水溶液、ビタミン空気水溶液やフルーツ酸を配合するなら、本考案の実施例における空気清浄機1を美容設備やスチーマーと合わせて使用することができ、各種のアロマセラピーに利用して健康を維持し、生活品質を向上させることもできる。
【００１１】
以上に挙げられたものは本考案の好ましい具体の実施例のみ、本考案を限定するものではない。本考案のコンセプト範囲内における各種の変形、修飾、及びソフトウエアとハードウエアの応用など、例えば、ケース本体2を八面やそれ以上の開放状態の違う幾何の形にしたり、フィルター層セット23や導風板24を各種違う幾何の形に変えたり、或いは、数量、功能、または超音波アトマイザー3の中で使用される水溶液や超音波アトマイザー3の類似品、またはイオン生成器5と一体化になった設備などを使用したり、制御パネル6をケース本体２の天板に設置してリモコンでコントロールしたりする行為はすべて本考案の申請範囲に属すものとする。
【図面の簡単な説明】
【００１２】
【図１】本考案実施例の空気清浄機の分解図。
【図２】本考案実施例の空気清浄機の立体図。
【符号の説明】
【００１３】
1  空気清浄機
2  ケース本体
21  フレーム
211  エアーの導入口
212  エアーの排出口
22  天板
23  フィルター層
24  導風板
3  超音波アトマイザー
4  ファン
5  イオン生成器
6  制御パネル
【図１】
0003126645.tif 000003
【図２】
0003126645.tif 000004